(57)【要約】【課題】従来の横断溝ブロックを坂道に施工した場合、天端水平部と、道路勾配に沿って施工された舗装面とに勾配変化が生じ、車両がここを走行通過する際にはバウンドショックがあって不快であるし、時として危険である。また既舗装の坂道に横断溝を造ることは困難であった。【解決手段】上方に開口するＵ字ブロックと、この開口を覆う透孔付き蓋ブロックとにより構成される複合ブロックであって、該蓋ブロックの上表面は該Ｕ字ブロックに設置した場合該Ｕ字ブロックの天端面に対して一定の縦断勾配で傾斜しているブロック。【選択図】　　　　　　　　図１
2004100269.tif 000002
【特許請求の範囲】
【請求項１】
上方に開口するＵ字ブロックと、この開口を覆う透孔付き蓋ブロックとにより構成される複合ブロックであって、該蓋ブロックの上表面は該Ｕ字ブロックに設置した場合該Ｕ字ブロックの天端面に対して一定の縦断勾配で傾斜しているものであることを特徴とする坂道用横断溝ブロック。
【請求項２】
該蓋ブロックの透孔は、上下方向に貫通する複数の孔又はスリットである請求項１記載の坂道用横断溝ブロック。
【請求項３】
該蓋ブロックの透孔は、金属製嵌め込み式のグレーチングによって形成されるものである請求項１記載の坂道用横断溝ブロック。
【発明の詳細な説明】
【０００１】
【発明の属する技術分野】
本発明は、横断溝ブロックの構造に関するものであり、道路自体が勾配（縦断勾配）を持っているときに、この勾配に合致する連続した平坦な斜面を維持しながら横断溝を形成するブロックの構造に関する。
【０００２】
【従来の技術】
道路には雨水等の排水を促すための諸設備が設けられている。横断溝もその一つであり、通常のＵ字状側溝（道路に並行して配される側溝）と同等の構造物を道路を横断するような形で敷設したものであると言える。グレーチングを載置して上方開口部を覆うこともあるが、コストその他の理由により実際には部分的にしか載置されないことが多い。
【０００３】
図４（ａ）（ｂ）は、そうした従来の横断溝の一例を示す概略断面図（道路を縦断する方向に断面したもの）であり、基礎砕石層Ａの上に均しコンクリートＢが打設した後、同図（ａ）の例はその上に敷モルタル層Ｃを介してＵ字ブロックＤを設置したものであり、同図（ｂ）の例は門型ブロックＥを置いて内部に底版コンクリートを流して底版部Ｆを形成したものである。またいずれも、天端にはグレーチングＧが嵌め込まれている。
【０００４】
【発明が解決しようとする課題】
図４の如く道路が水平の場合には図示した横断溝で問題はないが、現実には、そして特に林道・農道等においては、坂道（縦断勾配を有する道）に横断溝を敷設するという状況も少なくない。
【０００５】
そのような場合横断溝は、図５の如く敷設されている。即ち、横断溝の天端部分は水平を保って設置され、その両端からそれぞれ道路斜面ｘ、ｙが形成されることとなる。
【０００６】
従って製品部の天端水平部と、道路勾配に沿って施工された舗装面とに勾配変化が生じ、車両がここを走行通過する際にはバウンドショックがあって不快であるし、時として危険である。
【０００７】
また図５からも明らかなように、横断溝が設置されている斜面では水平部分が存在しているが故に、道路斜面ｘと道路斜面ｙとは距離ｄだけ離反する形でずれている。従って道路舗装後に追加工事として路面を一部切り取り横断溝を敷設することは、それ自体がなかなか容易ではないし、コスト高となりやすい。
【０００８】
【課題を解決するための手段】
そこで本発明者は、こうした点に鑑み鋭意研究の結果遂に本発明を成したものであり、その特徴とするところは、上方に開口するＵ字ブロックと、この開口を覆う透孔付き蓋ブロックとにより構成される複合ブロックであって、該蓋ブロックの上表面は該Ｕ字ブロックに設置した場合該Ｕ字ブロックの天面に対して一定の角度で傾斜しているものである点にある。
【０００９】
ここで「Ｕ字ブロック」は断面が「コ」字形をしたコンクリートブロックであり、基本的な構造は従来の横断溝に採用されているＵ字ブロック［例えば図３（ｂ）のＵ字ブロックＤ］と大差ない。但し、従来のＵ字ブロックの場合その天端が路面の一部を形成しておりグレーチングを設ける場合にはこの天端部分に嵌め込むものであるのに対し、本発明のＵ字ブロックでは天端に蓋ブロックを被せるものであるので、これに起因する構造上及び施工時の差異はある。例えば、蓋ブロックの上を自動車が通過してもズレることがないように、更には振動音も小さくなるようにするための、蓋ブロックとの結合構造はこのＵ字ブロックの天端部分に存在することになる。その詳細については本発明においては限定しない。
【００１０】
「蓋ブロック」は上述したように、Ｕ字ブロックの上に載置されるコンクリートブロックでありこの構造が本発明の最大の特徴となっている。即ち、蓋ブロックの上表面はＵ字ブロックに設置した場合該Ｕ字ブロックの天端面に対して一定の縦断勾配で傾斜しているものである。Ｕ字ブロック自体は、できるだけその底板部が水平であり側板部が鉛直であるように施工されるので、天端面も水平となる。そこで本発明ではこの蓋ブロックによって道路の縦断勾配に対応する。
【００１１】
蓋ブロックの表面は、道路の縦断勾配に合った傾斜面を有しているので、前後端の厚さが異なることになり、よってその縦断面形状は一般には概ね台形状となる。但し、例えば重量を小さくするためにリブ構造とするなどして台形状とは言えない構造となることもあり得るので、「台形状」には限定しない。
表面には集水のための透孔が設けられている。この透孔は、ブロック自体に孔やスリットを設けるものであっても良いが、別体のグレーチングを嵌め込むことで形成するようにしても良い。なお道路の縦断勾配は当然一種ではないので、蓋ブロック上表面の傾斜角度は複数種設定しておくことになる。
【００１２】
【発明の実施の形態】
以下図面に基づき本発明を更に詳細に説明する。なお、図面は全て例であって図示した構造・形状・大きさ等のみに本発明を限定するものではない。
【００１３】
図１は本発明に係る坂道用横断溝ブロック１（以下「本発明ブロック１」という）の一例を示すものであり、図より明らかなように本発明ブロック１は、Ｕ字ブロック２と蓋ブロック３から構成されるコンクリートブロックである。大きさは、Ｕ字ブロック２、蓋ブロック３のいずれも縦２０００ｍｍ、横５００ｍｍであり、縦方向に連設して横断溝を構築する。またこのうちＵ字ブロック２の高さは４００ｍｍである。更に、蓋ブロック３は、断面が台形状であり両端の高さが異なっており、低い方が１１０ｍｍ、高い方が１６０ｍｍである。この大きさは１０％の縦断勾配の道路用のものであるが、この高さの差を幾種類か揃えておくことで種々の勾配に対応できるようにする。また、縦や横の長さについても数種類揃えておくと便利である。
【００１４】
蓋ブロック３はまたその上表面に一本の凹溝３１と、該凹溝３１の底部分に複数（図示した例では四個）の上下貫通孔３２を有している。凹溝３１には金属製グレーチング４が嵌め込まれる。グレーチング固定用インサートや吊り金具取り付け用ボルト孔等も具備しているが図示を省略している。
【００１５】
図２は本発明ブロック１を使用して施工された道路の要部縦断面である。道路は、上述したように１０％の縦断勾配の坂道であり、蓋ブロック３の上表面と道路斜面とが完全に合致している。また本例では、Ｕ字ブロック２と蓋ブロック３の連結一体化は、Ｕ字ブロック２の天端の所々に設けた連結穴２１に充填材５（例えば無収縮モルタル）を詰めた上で蓋ブロック３を被せると、蓋ブロック３の裏面に設けられた埋め込みボルト３３が連結穴２１に嵌って固化一体化するという方法でなされている。この方法とした場合、蓋のズレがなくガタついて騒音が発生するということもない。
【００１６】
次に図３は、横断溝内の点検その他のための管理孔３４が設けられた管理孔付き蓋ブロック３’の例を示すものである。管理孔３４は、集水のための上下貫通孔３２に比して十分大きいもので、本例では縦横の長さをおよそ４００×５００ｍｍとしている。そして管理孔３４は、グレーチング４１によって被覆されている。管理孔付き蓋ブロック３’は、道路横断方向に連設されるブロックのところどころに設置されることになる。
【００１７】
【発明の効果】
以上詳細に説明したように本発明に係る坂道用横断溝ブロックは、上方に開口するＵ字ブロックと、この開口を覆う透孔付き蓋ブロックとにより構成される複合ブロックであって、該蓋ブロックの上表面は該Ｕ字ブロックに設置した場合該Ｕ字ブロックの天端面に対して一定の縦断勾配で傾斜しているものであることを特徴とするものであり、以下述べる如き種々の効果を有する極めて高度な発明である。
【００１８】
（１）　Ｕ字ブロック底部分を水平に設置してもその上に被せる蓋ブロックの上面が傾斜しているので、坂になった道路に施工しても勾配変化による通過ショックがほとんどない。
（２）　既舗装道路に横断溝を設ける際に切り取る舗装道路の幅を小さくすることができる。
（３）　複雑な構造ではないので、ブロックとしての製品単価は高くはならないし、施工についても特別な技能を要するものではないため経済性に優れる。
【図面の簡単な説明】
【図１】本発明に係る坂道用横断溝ブロックの一例を示す概略斜視図である。
【図２】本発明に係る坂道用横断溝ブロックの施工例を示す概略縦断面図である。
【図３】本発明に係る坂道用横断溝ブロックの他の例を示す概略斜視図である。
【図４】（ａ）（ｂ）は、いずれも従来の横断溝ブロックの施工例を示す概略縦断面図である。
【図５】従来の横断溝ブロックの坂道における施工例を示す概略縦断面図である。
【符号の説明】
１　　　　本発明に係る坂道用横断溝ブロック
２　　　　Ｕ字ブロック
２１　連結穴
３　　蓋ブロック
３１　凹溝
３２　上下貫通孔
３３　埋め込みボルト
３４　管理孔
３’　管理孔付き蓋ブロック
４　　グレーチング
５　　充填材
Ａ　　基礎砕石層
Ｂ　　均しコンクリート
Ｃ　　敷モルタル層
Ｄ　　Ｕ字ブロック（従来品）
Ｅ　　門型ブロック
Ｆ　　底版部
Ｇ　　グレーチング
ｘ　　道路斜面
ｙ　　道路斜面
【図１】
2004100269.tif 000003
【図２】
2004100269.tif 000004
【図３】
2004100269.tif 000005
【図４】
2004100269.tif 000006
【図５】
2004100269.tif 000007